(57)【要約】【課題】ホッパーからの券媒体の繰り出しを容易にする発券機を提供する。【解決手段】実施形態によれば、発券機は、券媒体を収容する筒状のホッパーと、前記ホッパーの底部に位置し前記券媒体が載置される載置部と、前記ホッパーに固定され、前記券媒体の厚さと略同等の距離だけ前記載置部から離間した第１先端部を有する第１スクレイパーと、前記ホッパーに固定され、前記券媒体の厚さと略同等の距離だけ前記載置部から離間した第２先端部を有する第２スクレイパーと、前記券媒体の下に位置する繰り出しローラーと、を備え、前記載置部は、前端部と、前記前端部の反対側の後端部と、前記前端部から前記後端部まで延出した第１側端部と、前記前端部から前記後端部まで延出し前記第１側端部とは反対側の第２側端部と、を有し、前記第１先端部及び前記第２先端部は、前記前端部側と対向し、前記第１先端部は、前記第１側端部側に位置し、前記第２先端部は、前記第２側端部側に位置する。【選択図】図９
2020042400.tif 000002
【特許請求の範囲】
【請求項１】
券媒体を収容する筒状のホッパーと、
前記ホッパーの底部に位置し前記券媒体が載置される載置部と、
前記ホッパーに固定され、前記券媒体の厚さと略同等の距離だけ前記載置部から離間した第１先端部を有する第１スクレイパーと、
前記ホッパーに固定され、前記券媒体の厚さと略同等の距離だけ前記載置部から離間した第２先端部を有する第２スクレイパーと、
前記券媒体の下に位置する繰り出しローラーと、を備え、
前記載置部は、前端部と、前記前端部の反対側の後端部と、前記前端部から前記後端部まで延出した第１側端部と、前記前端部から前記後端部まで延出し前記第１側端部とは反対側の第２側端部と、を有し、
前記第１先端部及び前記第２先端部は、前記前端部側と対向し、
前記第１先端部は、前記第１側端部側に位置し、
前記第２先端部は、前記第２側端部側に位置する、発券機。
【請求項２】
前記繰り出しローラーの回転軸は、前記載置部の前記前端部と前記後端部との間の中心よりも前記後端部側に位置する、請求項１に記載の発券機。
【請求項３】
前記繰り出しローラーは、前記第１側端部側に位置する第１ローラーと、前記第２側端部側に位置する第２ローラーと、によって構成される、請求項１又は２に記載の発券機。
【請求項４】
前記券媒体は、前記載置部の前記前端部側に位置する第１端部と、前記載置部の前記後端部側に位置する第２端部と、前記第１端部から前記第２端部まで延出し前記第１側端部側に位置する第１領域と、前記第１端部から前記第２端部まで延出し前記第２側端部側に位置する第２領域と、前記第１領域と前記第２領域との間にシールと、を有する、請求項１乃至３の何れか１項に記載の発券機。
【請求項５】
前記繰り出しローラーの回転軸は、前記券媒体の前記第１端部と前記第２端部との間の中心よりも前記第２端部側に位置する、請求項４に記載の発券機。
【請求項６】
さらに、前記ホッパー内で前記券媒体の上に配置されたおもりを備え、
前記おもりは、前記券媒体と対向する下面を有するおもり本体部と、前記おもり本体部の前記下面に貼付された緩衝材と、を備え、
前記緩衝材の弾性率は、前記おもり本体部の弾性率より小さい、請求項４又は５に記載の発券機。
【請求項７】
さらに、前記ホッパー内で前記券媒体の上に配置されたおもりを備え、
前記おもりは、前記券媒体の前記第１端部側よりも前記第２端部側に大きい荷重をかける、請求項４又は５に記載の発券機。
【請求項８】
さらに、前記ホッパー内で前記券媒体の上に配置されたおもりを備え、
前記おもりは、前記券媒体と対向する下面と、前記下面に位置し前記シールと対向する凹部と、を有する、請求項４又は５に記載の発券機。
【発明の詳細な説明】
【技術分野】
【０００１】
本発明の実施形態は、発券機に関する。
【背景技術】
【０００２】
鉄道等の駅の駅員室には、改札機が処理する乗車券を発券する発券機が設置されている。発券機は、券媒体を内部に有しており、この券媒体に対して必要な情報を書き込む等の処理を施すことにより、券媒体から乗車券を形成する。発券機としては、例えば、ホッパー内に積層された券媒体を、往復移動可能なキャリッジに設けた券媒体送り爪部材によって券媒体後端に係合させて１枚ずつ送り出す技術が知られている。また、類似の技術として新聞紙を１部ずつ送り込んでフィルムで包装するための新聞本紙送給装置が開示されている。この新聞本紙送給装置は、複数の新聞紙を載置して最下層の新聞紙を摩擦ローラーで送る機構を有しており、最下層の新聞紙を通過させるように前壁部が設けられている。
【先行技術文献】
【特許文献】
【０００３】
【特許文献１】特開２００１−９７５６２号公報
【特許文献２】特開２００１−１０６３５７号公報
【特許文献３】特開２００１−１０６３５９号公報
【特許文献４】特開２０１１−１６２３２８号公報
【発明の概要】
【発明が解決しようとする課題】
【０００４】
本実施形態の目的は、ホッパーからの券媒体の繰り出しを容易にする発券機を提供することにある。
【課題を解決するための手段】
【０００５】
一実施形態に係る発券機は、券媒体を収容する筒状のホッパーと、前記ホッパーの底部に位置し前記券媒体が載置される載置部と、前記ホッパーに固定され、前記券媒体の厚さと略同等の距離だけ前記載置部から離間した第１先端部を有する第１スクレイパーと、前記ホッパーに固定され、前記券媒体の厚さと略同等の距離だけ前記載置部から離間した第２先端部を有する第２スクレイパーと、前記券媒体の下に位置する繰り出しローラーと、を備え、前記載置部は、前端部と、前記前端部の反対側の後端部と、前記前端部から前記後端部まで延出した第１側端部と、前記前端部から前記後端部まで延出し前記第１側端部とは反対側の第２側端部と、を有し、前記第１先端部及び前記第２先端部は、前記前端部側と対向し、前記第１先端部は、前記第１側端部側に位置し、前記第２先端部は、前記第２側端部側に位置する。
【図面の簡単な説明】
【０００６】
【図１】図１は、本実施形態に係る発券機の構成を概略的に示す図である。
【図２】図２は、本実施形態に係る発券機の構成を概略的に示すブロック図である。
【図３】図３は、本実施形態の発券機における券媒体の発行業務を説明するためのフローチャートである。
【図４】図４は、オペレーターによって発券入力がされる前の定常状態の発券機を示す側面図である。
【図５】図５は、繰り出しローラーの上昇を示す側面図である。
【図６】図６は、繰り出しローラーの回転を示す側面図である。
【図７】図７は、センサによる券媒体の検知を示す側面図である。
【図８】図８は、繰り出しローラーの下降を示す側面図である。
【図９】図９は、本実施形態の載置台、第１ローラー及び第２ローラー、第１スクレイパー及び第２スクレイパーを示す斜視図である。
【図１０】図１０は、図９に示した載置台上に券媒体が配置された状態を示す斜視図である。
【図１１】図１１は、おもりの第１実施例を示す側面図である。
【図１２】図１２は、おもりの第２実施例を示す側面図である。
【図１３】図１３は、おもりの第３実施例を示す側面図である。
【発明を実施するための形態】
【０００７】
以下に、本発明の一実施形態及び各変形例について、図面を参照しながら説明する。なお、開示はあくまで一例に過ぎず、当業者において、発明の主旨を保っての適宜変更について容易に想到し得るものについては、当然に本発明の範囲に含有されるものである。また、図面は、説明をより明確にするため、実際の態様に比べて、各部の幅、厚さ、形状等について模式的に表される場合があるが、あくまで一例であって、本発明の解釈を限定するものではない。また、本明細書と各図において、既出の図に関して前述したものと同一又は類似した機能を発揮する構成要素には同一の参照符号を付し、重複する詳細な説明を適宜省略することがある。
【０００８】
図１は、本実施形態に係る発券機１の構成を概略的に示す図である。  
発券機１は、券媒体８を内部に収容するホッパー２、ホッパー２に固定されたスクレイパー３、ホッパー２内において券媒体８に荷重をかけるおもり７、券媒体８が配置された載置台１５、券媒体８を検知するセンサ４、券媒体８に対して印刷やデータの書き込みなどを行う処理部５、券媒体８をホッパー２から繰り出すための繰り出しローラー９、繰り出しローラー９を回転させるモーター１０、繰り出しローラー９を移動させるソレノイド１２、券媒体８を搬送する搬送部１１、上述した部材を収容し券媒体８を排出する排出口６を有する筐体１４などを備えている。
【０００９】
ホッパー２は、内腔を有する筒状であり、内腔に積層された券媒体８と、内腔で券媒体８の上に配置されたおもり７を収容している。本実施形態において、券媒体８は乗車券であっても良いし、遊戯施設などの施設内への入場に利用される入場券などであっても良い。券媒体８及びおもり７の詳細な構成については後述する。ホッパー２は、開閉可能な扉を有しており、適宜、駅員などの作業者により券媒体８が装填される。載置台１５は、ホッパー２の底部に位置している。
【００１０】
スクレイパー３は、例えば、ねじを用いてホッパー２に固定されている。ホッパー２のうち、スクレイパー３が固定された壁部には、繰り出された券媒体８を通すための開口２ａが形成されている。また、ホッパー２の開口２ａを通った券媒体８を繰り出すために、スクレイパー３と載置台１５との間には隙間ＧＰが形成されている。
【００１１】
センサ４は、券媒体８が所定の位置まで繰り出されたか否かを検知する。処理部５は、例えば、印刷処理部やデータ処理部などを有している。処理部５は、券媒体８に対する乗車券情報の書き込みや券媒体８への文字等の印刷等をする。具体的には、処理部５は、例えば、二次元コードを作成して券媒体８に印刷したり、改札情報に対応した券面情報（発駅、運賃、有効期限などの各種情報）を印刷したりする。
【００１２】
繰り出しローラー９は、ホッパー２内に収容された券媒体８に接触するとともに回転することにより、接触する券媒体８をホッパー２の外へ１枚ずつ繰り出し可能に形成されている。図示した例では、ホッパー２内には複数の券媒体８が積層されており、繰り出しローラー９は、積層された券媒体８のうち、一番下に位置する１枚の券媒体８に接している。繰り出しローラー９は、モーター１０の回転が伝達機構１３によって伝達されることで回転する。伝達機構１３は、例えば、ベルトなどである。また、ソレノイド１２は、ホッパー２に固定され、繰り出しローラー９を例えば上下方向に移動させることができる。
【００１３】
搬送部１１は、ホッパー２から券媒体８を取り出し、処理部５に向けて券媒体８を搬送する。また、搬送部１１は、処理部５で処理された券媒体８を排出口６に向けて搬送する。券媒体８が例えば、プラスチックなどを用いて形成されたカードである場合など、湾曲することが好ましくない券媒体８が用いられる場合、搬送部１１は、ホッパー２から排出口６まで券媒体８を湾曲することなく搬送可能に構成されていることが望ましい。排出口６から排出される券媒体８は、券面情報や二次元コードなどが印刷済みのものである。
【００１４】
図２は、本実施形態に係る発券機１の構成を概略的に示すブロック図である。  
発券機１は、制御部２０、入力手段として機能する操作部２１、メモリ２２、表示部２３、駆動部２４、センサ４、処理部５、搬送部１１などを備えている。
【００１５】
制御部２０は、券媒体８の発行に際して発券機１を構成する各部の制御を行う。操作部２１は、各種ボタンや、接触を検知したのに基づいて対応する情報を出力するタッチパネルなどで構成されている。この操作部２１は、制御部２０による制御に基づいて、利用者による各種操作の入力を受け付ける。より具体的には、操作部２１は、例えば、券媒体８が乗車券である場合には運賃（区数金額）などの情報の入力を受け付けたりする。
【００１６】
メモリ２２は、発券機１の制御に必要な制御データや各種券媒体８を発行する発行業務を行うのに必要な各種データなどを記憶している。表示部２３は、制御部２０による制御に基づいて、発券機１を利用する利用者に対して券媒体８の発行業務に必要な各種操作を案内する画面や、発行する券媒体８の内容などの種々の情報を案内する画面などを表示する。操作部２１及び表示部２３の少なくとも一部は、例えば、タッチパネル内蔵の液晶表示器などで構成されている。
【００１７】
駆動部２４は、制御部２０による制御に基づいて、ソレノイド１２を駆動し、図１に示した繰り出しローラー９を引き上げる。また、駆動部２４は、制御部２０による制御に基づいて、図１に示したモーター１０を駆動し、繰り出しローラー９を回転させる。センサ４は、制御部２０による制御に基づいて、所定の位置まで券媒体８が繰り出されたか否かを検出する。
【００１８】
処理部５は、制御部２０による制御に基づいて、券媒体８に対して各種情報を印刷する。また、処理部５は、制御部２０による制御に基づいて、券媒体８にデータの書き込みを行う。搬送部１１は、制御部２０による制御に基づいて、ホッパー２から取り出された券媒体８を処理部５に向けて搬送し、排出口６から券媒体８を排出する。
【００１９】
次に、本実施形態の発券機１において、ホッパー２から券媒体８を繰り出す動作について図２及び図３を参照しながら説明する。  
図３は、本実施形態の発券機１における券媒体８の発行業務を説明するためのフローチャートである。  
制御部２０は、操作部２１を介した券媒体８の発行指示の入力や改札情報の入力を受け付け、券媒体８の発行業務を開始する。制御部２０は、オペレーターによって発券入力がされたか否かを判断する（ＳＴ１）。そして、制御部２０は、オペレーターによって発券入力がされたと判断したのに基づいて（ＳＴ１、ＹＥＳ）、駆動部２４を制御する。駆動部２４は、ソレノイド１２を駆動して繰り出しローラー９を上昇させる（ＳＴ２）。そして、制御部２０は、モーター１０によって繰り出しローラー９を回転駆動させるように駆動部２４を制御する（ＳＴ３）。
【００２０】
制御部２０は、センサ４からの出力に基づいて券媒体８が図７に示すように所定の位置で検知されたか否かを判断する（ＳＴ４）。そして、制御部２０は、センサ４が券媒体８を検知したと判断したのに基づいて（ＳＴ４、ＹＥＳ）、駆動部２４を制御する。駆動部２４は、モーター１０を制御し繰り出しローラー９の回転駆動を停止する（ＳＴ５）。また、駆動部２４は、繰り出しローラー９の回転駆動を停止させた後に、繰り出しローラー９を下降させる（ＳＴ６）。そして、制御部２０は、処理部５を制御し、券媒体８に対して上述したような印刷やデータの書き込みなどの処理を行う（ＳＴ７）。なお、図示しないが、制御部２０は、搬送部１１を制御して、ホッパー２から繰り出された券媒体８を処理部５へ搬送し、処理部５での処理が完了した券媒体８を処理部５から排出口６へと搬送する。以上のようなステップを経て券媒体８の発行業務を終了する。
【００２１】
図４は、オペレーターによって発券入力がされる前の定常状態の発券機１を示す側面図である。  
本実施形態において、券媒体８は、基部１７と、基部１７に貼付されたシール１８と、を有している。基部１７は、例えば、紙やプラスチックなどを用いて形成されている。シール１８は、券媒体８の中心に例えば、ＲＦＩＤ（Ｒａｄｉｏ  Ｆｒｅｑｕｅｎｃｙ  Ｉｄｅｎｔｉｆｉｅｒ）を固定するために貼付されている。載置台１５は、券媒体８が載置される載置部１５ａを有している。繰り出しローラー９は、券媒体８の下に位置している。オペレーターによって発券入力がされる前の定常状態において、繰り出しローラー９の最上点Ｐは、載置部１５ａの上面と同等の位置、もしくは載置部１５ａの上面より低い位置に位置している。なお、載置部１５ａは、スクレイパー３側が低くなるように傾いていても良い。
【００２２】
図５は、繰り出しローラー９の上昇を示す側面図である。  
繰り出しローラー９が上昇することによって、券媒体８が押し上げられる。載置部１５ａは、券媒体８の進行方向の前方において前端部１５１を有し、前端部１５１の反対側に後端部１５２を有している。本実施形態においては、繰り出しローラー９の回転軸ＡＸは、載置部１５ａの前端部１５１と後端部１５２との間の中心よりも後端部１５２側に位置している。また、券媒体８は、載置部１５ａの前端部１５１側に位置する第１端部８１と、載置部１５ａの後端部１５２側に位置する第２端部８２と、を有している。繰り出しローラー９の回転軸ＡＸは、券媒体８の第１端部８１と、第２端部８２との間の中心よりも第２端部８２側に位置している。そのため、券媒体８は、第２端部８２側が押し上げられ、第１端部８１側が低くなるように傾斜する。このとき、繰り出しローラー９の最上点Ｐは、載置部１５ａの上面より高い位置に位置している。
【００２３】
図６は、繰り出しローラー９の回転を示す側面図である。  
繰り出しローラー９が回転することで、積層された券媒体８のうち一番下に位置する１枚の券媒体８がスクレイパー３と載置台１５との間の隙間ＧＰを通って繰り出される。券媒体８同士の摩擦によって、繰り出しローラー９と接触していない券媒体８にもスクレイパー３側へ移動される力がかかるが、隙間ＧＰの高さは、券媒体８の１枚分の厚さと略同等であるため、繰り出しローラー９と接している一番下の券媒体８を繰り出すことができる。すなわち、繰り出しローラー９と接している券媒体８以外の券媒体８は、スクレイパー３によって堰き止められる。なお、後述するが、券媒体８が繰り出される際には、券媒体８の上からおもりによって荷重がかけられている。
【００２４】
図７は、センサ４による券媒体８の検知を示す側面図である。  
センサ４によって、券媒体８が所定の位置まで繰り出されたことが検知される。センサ４は、例えば、搬送部１１を挟んで位置している。センサ４が券媒体８を検知したら、繰り出しローラー９の回転が停止される。このとき、繰り出しローラー９は一番下の券媒体８に接しており、一番下から２枚目の券媒体８には接していない。
【００２５】
図８は、繰り出しローラー９の下降を示す側面図である。  
一番下の券媒体８は、所定の位置まで繰り出された後、搬送部１１によって搬送される。そして、繰り出しローラー９が下降し、繰り出しローラー９の最上点Ｐは、図４に示したように、載置部１５ａの上面と同等の位置、もしくは載置部１５ａの上面より低い位置に下げられる。また、積層された複数の券媒体８は、図４に示した状態に戻る。
【００２６】
図９は、本実施形態の載置台１５、第１ローラー９ａ及び第２ローラー９ｂ、第１スクレイパー３ａ及び第２スクレイパー３ｂを示す斜視図である。  
載置部１５ａは、前端部１５１から後端部１５２まで延出した第１側端部１５３と、前端部１５１から後端部１５２まで延出し第１側端部１５３とは反対側の第２側端部１５４と、を有している。載置台１５は、載置部１５ａの第１側端部１５３側から下方に延出する側板１５ｂと、載置部１５ａの第２側端部１５４側から下方に延出する側板１５ｃと、を有している。また、載置部１５ａは、第１側端部１５３側に位置する第１開口６１と、第２側端部１５４側に位置する第２開口６２と、を有している。
【００２７】
繰り出しローラー９は、２つの第１ローラー９ａ及び第２ローラー９ｂによって構成されている。第１ローラー９ａは第１開口６１から露出し、第２ローラー９ｂは第２開口６２から露出している。すなわち、第１ローラー９ａは、第１側端部１５３側に位置し、第２ローラー９ｂは、第２側端部１５４側に位置している。
【００２８】
また、発券機１は、２つの第１スクレイパー３ａ及び第２スクレイパー３ｂと、を備えている。第１スクレイパー３ａは、載置部１５ａから隙間ＧＰ１を空けて離間した第１先端部３３を有している。第２スクレイパー３ｂは、載置部１５ａから隙間ＧＰ２を空けて離間した第２先端部３４を有している。隙間ＧＰ１及びＧＰ２の高さは、それぞれ、１枚の券媒体８の厚さと略同等である。第１先端部３３及び第２先端部３４は、載置部１５ａの前端部１５１側と対向している。また、第１先端部３３は、第１ローラー９ａと同様に、第１側端部１５３側に位置している。第２先端部３４は、第２ローラー６ｂと同様に、第２側端部１５４側に位置している。第１スクレイパー３ａ及び第２スクレイパー３ｂは、ホッパー２に固定され、それぞれホッパー２に固定するネジを貫通させるためのネジ穴３１及び３２を有している。
【００２９】
図１０は、図９に示した載置台１５上に券媒体８が配置された状態を示す斜視図である。  
券媒体８は、表面８３及び裏面８４を有し、図示した例では、表面８３が載置台１５と対向するように配置されている。シール１８は例えば、券媒体８の裏面８４に添付されている。表面８３には、例えば、文字等が印刷される。また、券媒体８は、２つの長辺及び２つの短辺を有する長方形状に形成されている。シール１８は、券媒体８の長辺方向の略中心に位置している。また、シール１８は、例えば、券媒体８の短辺方向に沿って延出している。券媒体８は、長辺方向に沿って第１端部８１から第２端部８２まで延出した第１領域８ａ及び第２領域８ｂを有している。図１０において、第１領域８ａ及び第２領域８ｂは、斜線で示された領域に相当する。図示した例では、第１領域８ａは、載置部１５ａの第１側端部１５３側に位置し、第２領域８ｂは、載置部１５ａの第２側端部１５４側に位置している。シール１８は、第１領域８ａと第２領域８ｂとの間に位置し、第１領域８ａ及び第２領域８ｂはシール１８とは重なっていない。券媒体８が繰り出される際には、第１ローラー９ａは第１領域８ａに当接し、第２ローラー９ｂは第２領域８ｂに当接する。また、第１領域８ａが第１スクレイパー３ａと載置台１５との間の隙間ＧＰ１を通過し、第２領域８ｂが第２スクレイパー３ｂと載置台１５との間の隙間ＧＰ２を通過する。券媒体８において、シール１８が貼付された部分の厚さは、第１領域８ａの厚さ及び第２領域８ｂの厚さよりも大きい。すなわち、券媒体８のシール１８が貼付された部分は、隙間ＧＰ１及びＧＰ２を通過することができない。
【００３０】
本実施形態によれば、発券機１は、載置部１５ａの第１側端部１５３側と対向する第１スクレイパー３ａと、載置部１５ａの第２側端部１５４側と対向する第２スクレイパー３ｂと、を有している。そのため、券媒体８が繰り出される際に、シール１８は、第１スクレイパー３ａと第２スクレイパー３ｂとの間を通過する。すなわち、第１スクレイパー３ａ及び第２スクレイパー３ｂに、券媒体８のシール１８が貼付された部分が引っかかるのを抑制することができる。また、例えば、本実施形態の発券機１を構成するために、従来の発券機の構成を大幅に変更せずに、スクレイパーの位置や数を変更して用いることができる。
【００３１】
また、本実施形態によれば、第１ローラー９ａが第１側端部１５３側に位置し、第２ローラー９ｂが第２側端部１５４側に位置している。そのため、シール１８が券媒体８において第１ローラー９ａ及び第２ローラー９ｂと対向する面に貼付されていたとしても、第１ローラー９ａ及び第２ローラー９ｂがシール１８に当接しない。したがって、シール１８の剥離を抑制することができる。
【００３２】
なお、図示した例では、券媒体８は、略長方形状に形成されているが、その形状について特に制限はない。また、基部１７のうち、シール１８以外の領域には、二次元コードなどが印刷されていても良い。
【００３３】
図１１は、おもり７の第１実施例を示す側面図である。  
券媒体８がホッパー２から繰り出される際に、券媒体８が繰り出しローラー９に接するように券媒体８の上からおもり７で荷重をかける。図示した例では、おもり７は、おもり本体部７１と、緩衝材７２と、を有している。おもり本体部７１は、券媒体８と対向する下面７１ａを有している。緩衝材７２は、おもり本体部７１の下面７１ａに貼付されている。緩衝材７２の弾性率は、おもり本体部７１の弾性率より小さい。おもり本体部７１は、例えば、金属を用いて形成されている。緩衝材７２は、例えばスポンジなどを用いて形成されている。券媒体８は、シール１８を有するため、積層するとシール１８の位置が盛り上がる場合があり、おもり７が券媒体８の盛り上がった部分に当接する場合がある。図示した例では、おもり７が券媒体８に当接した際に、緩衝材７２が券媒体８の形状に沿って変形するため、券媒体８の全体に荷重をかけることができる。  
なお、券媒体８の残り枚数によっておもり７の負荷が変化しても良い。例えば、おもり７の負荷は、券媒体８の残り枚数が少なくなるほど大きくなるようにしても良いし、少なくなるようにしても良い。また、おもり７は、例えば、ばねによって支持されていても良い。
【００３４】
図１２は、おもり７の第２実施例を示す側面図である。  
図示した例では、おもり７は、載置部１５ａの後端部１５２側と対向している。つまり、おもり７は、券媒体８の第２端部８２側に当接している。そのため、券媒体８のそれぞれの第１端部８１が互いに離間しやすくなる。よって、一番下の券媒体８が隙間ＧＰに入りやすくなり、下から２枚目以降の券媒体８が隙間ＧＰに入りにくくなる。なお、第２実施例のおもり７の形状は図示したものに限らず、券媒体８の第１端部８１側よりも第２端部８２側に大きい荷重をかけられるものであれば良い。
【００３５】
図１３は、おもり７の第３実施例を示す側面図である。
おもり７の下面７１ａは、凹部７１ｂを有している。凹部７１ｂは、シール１８と対向する領域に位置している。そのため、おもり７がシール１８に当接せず、券媒体８のシール１８以外の領域に荷重をかけやすくすることができる。また、おもり７がシール１８に接することによるシール１８剥がれなどを抑制することができる。
【００３６】
以上説明したように、本実施形態によれば、ホッパーからの券媒体の繰り出しを容易にする発券機を得ることができる。
【００３７】
なお、本発明のいくつかの実施形態を説明したが、これらの実施形態は、例として提示したものであり、発明の範囲を限定することは意図していない。これらの新規な実施形態は、その他の様々な形態で実施されることが可能であり、発明の要旨を逸脱しない範囲で、種々の省略、置き換え、変更を行うことができる。これらの実施形態やその変形は、発明の範囲や要旨に含まれるとともに、特許請求の範囲に記載された発明とその均等の範囲に含まれる。
【符号の説明】
【００３８】
１…発券機、２…ホッパー、８…券媒体、１５…載置台、１５ａ…載置部、
３…スクレイパー、３ａ…第１スクレイパー、３ｂ…第２スクレイパー、
３３…第１先端部、３４…第２先端部、
９…繰り出しローラー、ＡＸ…回転軸、９ａ…第１ローラー、９ｂ…第２ローラー、
１５ａ…載置部、１５１…前端部、１５２…後端部、
１５３…第１側端部、１５４…第２側端部、
８１…第１端部、８２…第２端部、８ａ…第１領域、８ｂ…第２領域、１８…シール、
７…おもり、７１…おもり本体部、７２…緩衝材、７１ａ…下面、７１ｂ…凹部。
【図１】
2020042400.tif 000003
【図２】
2020042400.tif 000004
【図３】
2020042400.tif 000005
【図４】
2020042400.tif 000006
【図５】
2020042400.tif 000007
【図６】
2020042400.tif 000008
【図７】
2020042400.tif 000009
【図８】
2020042400.tif 000010
【図９】
2020042400.tif 000011
【図１０】
2020042400.tif 000012
【図１１】
2020042400.tif 000013
【図１２】
2020042400.tif 000014
【図１３】
2020042400.tif 000015